(57)【要約】【課題】展開した各ドアのうち特に吊り元側ドアの捩じれや傾きを防止することができる折り戸のドアネジレ防止金具を提供する。【解決手段】二枚折り戸に後付け可能なドアネジレ防止金具において、本体１内に、スプリングの付勢力によって吊り元側ドア外周から外方に向かって進出するドア支持部材３を有し、前記吊り元側ドアの面に対向する吊り先側ドア側面には前記ドア支持部材が前記スプリングの付勢力に抗して吊り元側ドアの外周よりも内側となるように押圧する操作部材１０を取り付け、吊り元側ドア、吊り先側ドアを格納した状態の時には、前記操作部材の作用によってドア支持部材３が吊り元側ドア外周より内側に収納された状態となり、吊り元側ドア、吊り先側ドアを開いた状態の時には、前記ドア支持部材３と操作部材１０が離脱し前記ドア支持部材がスプリングの付勢力によって吊り元側ドア外周から外側に進出するべく構成した。【選択図】  図５
2004324237.tif 000002
【特許請求の範囲】
【請求項１】
少なくとも二枚折り戸に後付け可能なドアネジレ防止金具において、前記ドアネジレ防止金具は吊り元側ドア側面に着脱可能な本体を備え、前記本体内に、スプリングの付勢力によって吊り元側ドア外周から外方に向かって進出するドア支持部材を有し、前記吊り元側ドアの面に対向する吊り先側ドア側面には前記ドア支持部材が前記スプリングの付勢力に抗して吊り元側ドアの外周よりも内側となるように押圧する操作部材を取り付け、吊り元側ドア、吊り先側ドアを格納した状態の時には、前記操作部材の作用によってドア支持部材が吊り元側ドア外周より内側に収納された状態となり、吊り元側ドア、吊り先側ドアを開いた状態の時には、前記ドア支持部材と操作部材が離脱し前記ドア支持部材がスプリングの付勢力によって吊り元側ドア外周から外側に進出するべく構成したことを特徴とする折り戸のドアネジレ防止金具。
【請求項２】
少なくとも二枚折り戸に着脱可能に取り付けることができるドアネジレ防止金具において、前記ドアネジレ防止金具は吊り元側ドア側面に着脱可能な本体を備え、前記本体内に、スプリングの付勢力によって吊り元側ドア外周から外方に向かって進出し上枠ドア支持部材受に形成した挿入穴に嵌合するドア支持部材を有し、前記ドア支持部材にはドア支持部材と軸線が交差するように操作シャフトを取り付け、前記吊り元側ドアの面に対向する吊り先側ドア側面には、前記操作シャフトを介して前記スプリングの付勢力に抗してドア支持部材を吊り元側ドア外周から内方にむけて押圧する操作部材を取り付け、吊り元側ドア、吊り先側ドアを格納した状態の時には、前記操作部材と操作シャフトの協働によりドア支持部材が吊り元側ドアの外周より内側に収納された状態となり、吊り元側ドア、吊り先側ドアを開いた状態の時には、前記操作部材と操作シャフトが離脱しスプリングの付勢力によってドア支持部材が吊り元側ドアの外周より外側に進出するべく構成したことを特徴とする折り戸のドアネジレ防止金具。
【請求項３】
前記ドア支持部材の先端は、クサビ状に形成されていることを特徴とする請求項１〜請求項２のいずれかに記載の折り戸のドアネジレ防止金具。
【発明の詳細な説明】
【０００１】
【産業上の利用分野】
本発明は、複数枚のドアを横並びに連結し、普段は折畳んで収納しておくとともに、非常時等には展開して廊下等の所定の開口部を閉鎖する防火ドア等に好適な折り戸に係り、特に展開した各ドアのうち吊り元側ドアの捩じれや傾きを防止することができる折り戸のドアネジレ防止金具に関するものである。
【０００２】
【従来の技術】
普段は（壁側の）戸袋に折畳んで収納しておくとともに、火災等の非常時には展開して廊下等の所定の開口部を閉鎖する防火用の折り戸が開発され使用されている。
このような折り戸は近年防火ドア等に多く採用されており、２枚折、３枚折等のドアが多く使用されている。この場合、吊り先側ドアのドア重量により、図１５に示すように吊り元側ドアにネジレが生じ、吊り先側ドアの先端部が下がり、床に当って開閉に支障を生じる場合がある。また、ドアの軽量化、低コスト化を図っているため、ドアの強度が低下しており、こうしたドアのネジレの問題が数多く発生している。
上記のような折り戸としては特許文献１に記載されたものが知られている。
【０００３】
【特許文献１】特開２０００１−３６２８
【０００４】
上記公報に記載の折り戸の閉鎖保持装置（後述する本発明の折り戸のドアネジレ防止用金具に対応）の概略を簡単に説明すると、図１２は折り戸の閉鎖保持装置の概略平面図、図１３はこの折り戸の閉鎖保持装置の作用を説明する図、図１４は同装置のロック作動状態を説明する図である。
この折り戸の閉鎖保持装置１０１は、図１２〜図１４に示すようにストップ部材１０２と、テーパ部材１０３と、押さえ部材１０４と、受け部材１０５とを備えている。
ストップ部材１０２は、第１ドア（以下吊り元側ドアという）Ａの戸先上部に設けたケーシング１２０に上下動自在に内装されており、この同じケーシング１２０に内設する（圧縮）ばね１２１の弾性力により常時付勢されて上方に突出可能になっている。ストップ部材１０２の先端（上端）部側には２段の傾斜面を有するテーパが形成されており、上段２Ｕの方の傾斜を下段２Ｄより緩くして後述する受け部材１０５の挿入穴１５１へ挿入し易くなっている。
【０００５】
テーパ部材１０３は、ストップ部材１０２に固定して取り付けてあり下側に向けて外側へ拡開した傾斜面形状を有している。また、このテーパ部材１０３は、第１ドアＡの上部側面に一部設けた窓Ｗから突出するとともに、第１ドアＡに対してストップ部材１０２と一体で上下方向に移動できるようになっている。
押さえ部材１０４は、比較的剛性のある薄板状の金属等を略Ｌ字型に折曲して形成されており、第１ドアＡ、第２ドア（吊り先側ドア）Ｂを折り畳んだときに図１３に示すようにその第１ドアＡと対向・対面する第２ドアＢの側面上部に固着されている。
【０００６】
図１３に示すように、第１ドアＡ、第２ドアＢを折り畳んだときに、押さえ部材１０４の突出部１４１がテーバ部材１０３のカバー１２２に開口した穴１２２Ａから丁度内部に進入してテーパ部材１０３を下方に押し下げ、ストップ部材１０２が第１ドアＡの上面から突出しないようになっている。
受け部材１０５は、中央部に略矩形状の挿入穴１５１を穿設させており、ストップ部材１０２の下段２Ｄ外周面が挿入穴１５１に内接・密着するように構成されている。
【０００７】
上記構成からなる折り戸の閉鎖保持装置は各ドアが折畳まれロック装置により互いに一体に結合され戸袋内に収納されている。火災等の異常事態が発生すると、これを検知した図示しない電磁レリーズが作動し、戸袋内での第２ドアＢ側の保持動作を解除すると第２ドアＢ側及びこの第２ドア側と一体に結合されている第１ドアＡが戸袋から抜け出して一体に展開を始める。第１ドアＡの展開動作の完了直前にこの第１ドアＡの展開完了動作に先立ち、図示しないロック装置（ドアキャッチャ）が作動して第２ドアＢを開放し始める。この第２ドアＢの開放動作に連動して第１ドアＡのケーシング１２０の収まっていたストップ部材１０２が上方に突出し、第１ドアＡが最終位置近傍まで展開（回動）してくると、ストップ部材１０２の先端部側が挿入穴１５１に挿入・嵌合されるので戸先側が確実に前記上枠等に固定されるものである。
【０００８】
【発明が解決しようとする課題】
ところで、上記折り戸の閉鎖保持装置は、以下のような問題点を有している。即ち、前記閉鎖保持装置は、第１ドア内に内蔵形式となっているため、既に使用されている折り戸での後付けが出来ず、このような閉鎖保持装置を採用する場合にはドア毎の交換か、ドアを大幅に改造する必要があり、工事費用、ドア部品費用などがかかる等の問題があり、簡単には利用することができない。
また、ストップ部材に固定してあるテーパ部材が第２ドア側に突出して設けてあるため、このテーバ部材の突出分だけ第１ドア、第２ドアを折り畳んだ状態の時に厚さが厚くなり、ドアの収納スペース効率が悪くなる、等の問題がある。
【０００９】
そこで、本発明は上記した事情に鑑み、折り戸を展開し所定の場所を閉鎖する際に、前記吊り元側ドアを上枠等に確実に固定して捩じれや傾きを防止することができる後付けの折り戸のドアネジレ防止金具を提供することを目的とする。そしてすでに使用されているドアに対してもドアネジレ防止金具を取り付けることにより、吊り元側ドア上部に取り付けたネジレ防止金具により戸先ドア重量によるドアのネジレを防ぎ、ドアのスムーズな閉扉をおこなうことを可能にする。
【００１０】
【課題を解決するための手段】
上記目的を達成させるために、本発明が採用した技術解決手段は、
少なくとも二枚折り戸に後付け可能なドアネジレ防止金具において、前記ドアネジレ防止金具は吊り元側ドア側面に着脱可能な本体を備え、前記本体内に、スプリングの付勢力によって吊り元側ドア外周から外方に向かって進出するドア支持部材を有し、前記吊り元側ドアの面に対向する吊り先側ドア側面には前記ドア支持部材が前記スプリングの付勢力に抗して吊り元側ドアの外周よりも内側となるように押圧する操作部材を取り付け、吊り元側ドア、吊り先側ドアを格納した状態の時には、前記操作部材の作用によってドア支持部材が吊り元側ドア外周より内側に収納された状態となり、吊り元側ドア、吊り先側ドアを開いた状態の時には、前記ドア支持部材と操作部材が離脱し前記ドア支持部材がスプリングの付勢力によって吊り元側ドア外周から外側に進出するべく構成したことを特徴とする折り戸のドアネジレ防止金具である。
また、少なくとも二枚折り戸に着脱可能に取り付けることができるドアネジレ防止金具において、前記ドアネジレ防止金具は吊り元側ドア側面に着脱可能な本体を備え、前記本体内に、スプリングの付勢力によって吊り元側ドア外周から外方に向かって進出し上枠ドア支持部材受に形成した挿入穴に嵌合するドア支持部材を有し、前記ドア支持部材にはドア支持部材と軸線が交差するように操作シャフトを取り付け、前記吊り元側ドアの面に対向する吊り先側ドア側面には、前記操作シャフトを介して前記スプリングの付勢力に抗してドア支持部材を吊り元側ドア外周から内方にむけて押圧する操作部材を取り付け、吊り元側ドア、吊り先側ドアを格納した状態の時には、前記操作部材と操作シャフトの協働によりドア支持部材が吊り元側ドアの外周より内側に収納された状態となり、吊り元側ドア、吊り先側ドアを開いた状態の時には、前記操作部材と操作シャフトが離脱しスプリングの付勢力によってドア支持部材が吊り元側ドアの外周より外側に進出するべく構成したことを特徴とする折り戸のドアネジレ防止金具である。
また、前記ドア支持部材の先端は、クサビ状に形成されていることを特徴とする折り戸のドアネジレ防止金具である。
【００１１】
【実施形態】
以下、本発明の実施形態を図面に基づいて説明する。
図１は本実施形態に係る折り戸のドアネジレ防止金具の取り付け状態の斜視図、図２（イ）は同ドアネジレ防止金具の本体平面図、（ロ）は同正面図、（ハ）は同側面図、図３（イ）（ロ）（ハ）は同ドアネジレ防止金具を構成する操作部材の正面図、平面図、側面図、図４は同ネジレ防止金具を吊り元側ドア、吊り先側ドアに取り付けた状態の側面図、図５は図４中のＡ−Ａ断面図、図６は吊り元側ドア、吊り先側ドアを開きつつある状態のネジレ防止金具の側面図、図７は図６中のＢ−Ｂ断面図である。
【００１２】
図１において、吊り元側ドアＡにはドアネジレ防止金具の本体１が取り付けられており、また対向する吊り先側ドアＢの壁面には操作部材１０が取り付けられている。
図２、図４、図５において、ドアネジレ防止金具の本体１の上下にはフランジ２が形成され、このフランジ２には孔２ａが形成されこの孔２ａを利用してボルト等で本体１を吊り元側ドアＡの側面に固定できるようになっている。本体１の中心部には、棒状をしたドア支持部材（図５参照）３が図中上下方向に摺動自在に設けられており、ドア支持部材３の下端側にはドア支持部材３を図中上方に付勢するスプリング４が配置されている。スプリング４は本体１に螺合した固定ネジ５とドア支持部材３の下端との間に配置されている。ドア支持部材３には、操作シャフト６が前記フランジと平行に設けれら、操作シャフト６の両端は、本体１に形成した長孔７から突出する長さとして形成されている。ドア支持部材３の上端は、端部に向かって径が細くなるテーパー状に形成されており、このテーパー部が上枠ドア支持部材受８に形成した挿入穴９（図６、図７参照）に嵌合できるようになっている。
【００１３】
図３において、前記操作シャフト６と当接する前記操作部材１０は、図３（ロ）に示すように平面視において略コ字状をしており、コ字状の両側下面は前記操作シャフト６を下方に向けて押圧するために傾斜面１１として形成されており、この操作部材１０は吊り先側ドアＢの対応する位置にボルト等の固定手段により固定される構成となっている
また、吊り元側ドアＡを開いた状態の上部の上枠ドア支持部材受８には前記ドア支持部材３の上端が嵌合する挿入穴９（図６、図７参照）が形成されている。
【００１４】
吊り元側ドアＡと吊り先側ドアＢとを折り畳んだ収納状態の側面図を図４に示す。図４に示すように吊り元側ドアＡと吊り先側ドアＢとを折り畳んだ収納状態の時には吊り先側ドアＢ側の操作部材１０が吊り元側ドアＡに接近し、操作部材１０の傾斜面１１が前記操作シャフト６に当接し、操作部材１０の下面に形成した傾斜面１１によって操作シャフト６を図５に示すように下方に移動させる。この状態の時は、ドア支持部材３は本体１内にスプリング４の付勢力に抗して収納された状態となっている。
【００１５】
また、図６、図７において吊り先側ドアＢが矢印方向Ｃに開いてゆくと、操作部材１０が後退し、これに伴ってスプリング４によって付勢されているドア支持部材３が図７中上方に移動し、上枠ドア支持部材受８に形成した挿入穴９に嵌合し、吊り元側ドアの先端側を支持できるようになっている。
【００１６】
上記構成からなる折り戸の作動を図８（イ）（ロ）（ハ）及び、図９を参照して説明すると、図８（イ）、図９に示す戸袋収納時において、例えば火災等が発生すると、戸袋内に折り畳まれたドアの吊り先側ドアＢと戸袋壁もしくは戸袋上枠との間に取り付けられている電磁レリーズ１２（煙、熱感知ドア解除装置）が作動し、吊り先側ドアＢの保持を解除する。吊り元側ドアＡに取り付けられているクローザ１３の閉じ力にて折り戸（畳んだ状態）が一体にて閉じ動作を開始する。この状態までは、ドア支持部材３は吊り元側ドアＡ側の本体１内に（吊り元側ドアＡの上面から突出しない状態で）収納されている。
【００１７】
吊り元側ドアＡが閉じ、閉鎖開口部Ｄに達すると、吊り元側ドアＡと吊り先側ドアＢとの間に取り付けられ、吊り先側ドアＢの閉じ力（吊り元側ドアＡと吊り先側ドアＢとの間に取り付けられているクローザ１４）に抗し、ドアを保持しているドアキャチ１５が閉鎖開口部Ｄの上枠に当たり、保持を解除する。吊り元側ドアＡの閉じと同時に、吊り先側ドアＢに取り付けた操作部材１０が次第に吊り元側ドアＡから離れる（図８（ロ）参照）。この操作部材１０の移動によって操作シャフト６から離れるに連れ、吊り元側ドアＡのドア支持部材３がスプリング４の作用によって上方に突出する。そして最終的には操作部材１０が操作シャフト６から離れ、ドア支持部材３がスプリング４の付勢力によって上方に押し出される。これにより、上枠ドア支持部材受８に形成した挿入穴９にドア支持部材３が嵌合し、吊り元側ドアＡを固定する（図８（ハ）参照）。
【００１８】
そしてこのドア支持部材３がつっかい棒のように作用して吊り元側ドアの戸先部をしっかりとささえ、上部の上枠ドア支持部材受８に固定される。こうして前記吊り元側ドアの戸先側は上枠に確実に固定され、不安定な捩じれや傾き等の発生する虞れが最小限に抑えられる。その後吊り元側ドアＡがしっかりと支持されることにより、幅広、大重量の折りドアであっても、捩じれや傾きの防止をしっかりと行うことができる。これにより、幅広で大重量の防火用折りドアであっても、長期に亙り信頼度の高い防火用折り戸が提供できる。
【００１９】
なお、この実施例において、各ドアを折り畳んで元の戸袋に戻すときには、ここで説明したことと逆の動作を行い、上昇していたドア支持部材３も元の本体１内に戻る。
【００２０】
上記例では吊り元側ドアの先端上部にドアネジレ防止金具を取り付けた例を説明したが、このドアネジレ防止金具を吊り元側ドアの先端下部に取り付けることも可能である。この場合上述したものと同じ構成のものを採用することができるが、床側に戸当の枠に形成する嵌合部を形成することが難しいため、この場合には図１０、図１１に示すドアネジレ防止金具を使用することができる。
【００２１】
図１０は吊り元側ドアの下部に取り付けるドアネジレ防止金具の第１例である。この例では、本体１、ドア支持部材３、操作シャフト６、操作部材１０、スプリング４等は上記例と全く同様であるが、ドア支持部材３の先端が床面に確りと固定するように先端が楔状（図１０矢印方向から見てドアの壁面と平行な尖った先端で形成されている）に形成されている点が本例の特徴である。
【００２２】
図１１は吊り元側ドアの下部に取り付けるドアネジレ防止金具の第２例である。この例では、本体１に取り付けるドア支持部材３を軸１５を中心に揺動自在に設け、一体を本体１を吊り元側ドアＡに取り付けるための本体１のプレートに支持され、他端をドア支持部材３に設けられた支持軸１７に支持されたコイルスプリング１６によって下方に向けて付勢された構成となっている。また吊り先側ドアＡには、格納時にはドア支持部材３を押すことができる操作部材１８が設けられ、折り戸が格納状態の時には、操作部材８が支持軸１７を押し上げることにより、ドア支持部材３がコイルスプリング１６の付勢力に抗して上方に揺動した状態となっており（図１１に示す状態）、ドアを開放した時にはコイルスプリング１６の付勢力により押し下げることにより、ドア支持部材３が下方に移動し、床面と係合し、吊り元側ドアを確りと支持できるようにしている。
【００２３】
以上詳述したように本実施形態では、折り戸を展開し所定の場所を閉鎖する際に、前記吊り元側ドアを上枠等に確実に固定して捩じれ傾きを防止することができる折り戸のドアネジレ防止金具を提供することができ、この結果、吊り元側ドア上部に取り付けたネジレ防止金具の作用により戸先ドア重量によるドアのネジレを防ぎ、ドアのスムーズな閉扉をおこなうことを可能にする。
なおネジレ防止金具をドアの上方のみあるいは上下に設けるかは、ドアの状況に応じて自由に選択できることは当然である。また、上記例は二枚折り戸を中心に説明したが、三枚折り以上の折りドアにも同様に適用することができることは当然である。
また、上記実施形態は例示にすぎず、本発明の精神または主要な特徴から逸脱することなく本発明は他の色々な形で実施することができ、限定的に解釈してはならない。
【００２４】
【発明の効果】
以上詳細に説明したように本発明では、ネジレ防止金具を吊り元側ドアに外付け可能な構成としたため、すでに使用されている折り戸でのドアネジレ防止金具を簡単に後付けすることができ、ドアのネジレを確実に防止できる。
また、ドア支持部材に吊り元側ドア壁面に平行に操作シャフトを設けたため吊り先側ドアを折り畳んだ状態の時のドアの厚さが余り厚く成らず、収納スペースがとられる等の問題を解消できる、等の優れた作用効果を奏することができる。
【図面の簡単な説明】
【図１】本実施形態に係る折り戸のドアネジレ防止金具の取り付け状態の斜視図である。
【図２】（イ）は同ドアネジレ防止金具の平面図、（ロ）は本体１側正面図、（ハ）は同側面図である。
【図３】（イ）（ロ）（ハ）は同ドアネジレ防止金具を構成する操作部材１０の正面図、平面図、側面図である。
【図４】同ネジレ防止金具を吊り元側ドア、吊り先側ドアに取り付けた状態の側面図である。
【図５】図４中のＡ−Ａ断面図である。
【図６】吊り元側ドア、吊り先側ドアを開いた状態のネジレ防止金具の側面図である。
【図７】図６中のＢ−Ｂ断面図である。
【図８】本発明に係るネジレ防止金具の作動説明図である。
【図９】本発明に係るネジレ防止金具を装着したドアの作動説明図である。
【図１０】ドア下方に取り付けるネジレ防止金具の構成図である。
【図１１】ドア下方に取り付ける他の例のネジレ防止金具の構成図である。
【図１２】従来の折り戸の閉鎖保持装置の概略平面図である。
【図１３】従来の折り戸の閉鎖保持装置の作用を説明する図である。
【図１４】同装置のロック作動状態を説明する図である。
【図１５】従来の折り戸の不都合を説明する図である。
【符号の説明】
Ａ              吊り元側ドア
Ｂ              吊り先側ドア
１              本体
２              フランジ
３              ドア支持部材
４              スプリング
５              固定ネジ
６              操作シャフト
７              長孔
８              上枠ドア支持部材受
９              挿入穴
１０              操作部材
１１              傾斜面
１２              電磁レリーズ
１３              クローザ
１４              クローザ
１５              ドアキャッチ
１６              コイルスプリング
１７              支持軸
１８              操作部材
Ｄ                閉鎖開口部
【図１】
2004324237.tif 000003
【図２】
2004324237.tif 000004
【図３】
2004324237.tif 000005
【図４】
2004324237.tif 000006
【図５】
2004324237.tif 000007
【図６】
2004324237.tif 000008
【図７】
2004324237.tif 000009
【図８】
2004324237.tif 000010
【図９】
2004324237.tif 000011
【図１０】
2004324237.tif 000012
【図１１】
2004324237.tif 000013
【図１２】
2004324237.tif 000014
【図１３】
2004324237.tif 000015
【図１４】
2004324237.tif 000016
【図１５】
2004324237.tif 000017
【手続補正書】
【提出日】平成15年5月6日(2003.5.6)
【手続補正１】
【補正対象書類名】図面
【補正対象項目名】全図
【補正方法】変更
【補正の内容】
【図１】
2004324237.tif 000018
【図２】
2004324237.tif 000019
【図３】
2004324237.tif 000020
【図４】
2004324237.tif 000021
【図５】
2004324237.tif 000022
【図６】
2004324237.tif 000023
【図７】
2004324237.tif 000024
【図８】
2004324237.tif 000025
【図９】
2004324237.tif 000026
【図１０】
2004324237.tif 000027
【図１１】
2004324237.tif 000028
【図１２】
2004324237.tif 000029
【図１３】
2004324237.tif 000030
【図１４】
2004324237.tif 000031
【図１５】
2004324237.tif 000032